(57)【要約】  移動装置のユーザが、ＣＤＭＡネットワーク又はＧＳＭネットワークなどの最も広く利用されるネットワーク（２２）を介して取引を開始できるようにし、次に、Ｗｉ−Ｆｉなどの特殊化したデータネットワーク（２４）を介して装置に上記取引を完了できるようにするためのシステム及び方法を提供する。上記システムは、ユーザの最初の取引から得られるインデックスデータを保持する無線装置（１２）と通信して、取引の完了を通じて整合性を保証するサーバ（１６）を含む。上記システムはまた、ユーザがコンテンツを購入し、コンテンツをダウンロードし、そして正常な完了時には、ユーザに適切に課金を行う方法も含む。【選択図】図１
2009524986.tif 000002
【特許請求の範囲】
【請求項１】
音声用に最適化された無線電話ネットワーク（２２）を用いて、コンテンツに対する注文を生成する行為と、
無線データ用に最適化されたネットワーク（２４）を介して前記コンテンツを受信する行為と、
を含む論理を実行するプロセッサ（１２ａ）を備える、
ことを特徴とする無線通信装置。
【請求項２】
前記生成行為はＳＭＳを用いて行われることを特徴とする請求項１に記載の無線通信装置。
【請求項３】
前記生成行為はＩＭを用いて行われることを特徴とする請求項１に記載の無線通信装置。
【請求項４】
前記音声用に最適化された無線電話ネットワーク（２２）は少なくとも１つのＣＤＭＡリンクを含むことを特徴とする請求項１に記載の無線通信装置。
【請求項５】
前記音声用に最適化された無線電話ネットワーク（２２）は少なくとも１つのＧＳＭリンクを含むことを特徴とする請求項１に記載の無線通信装置。
【請求項６】
前記無線通信装置（１２）は無線電話であることを特徴とする請求項１に記載の無線通信装置。
【請求項７】
前記無線データ用に最適化されたネットワーク（２４）は少なくとも１つのＷｉＦｉリンクを含むことを特徴とする請求項１に記載の無線通信装置。
【請求項８】
前記無線通信装置（１２）のユーザは、前記音声用に最適化された無線電話ネットワーク（２２）のメッセージングプロトコルを用いてデジタルコンテンツをサーチし、購入することができることを特徴とする請求項１に記載の無線通信装置。
【請求項９】
ダウンロード行為はユーザとの対話処理を伴わずに行われることを特徴とする請求項１に記載の無線通信装置。
【請求項１０】
少なくとも１つの無線通信装置（１２）と、
少なくとも１つの仲介サーバ（１６）と、
少なくとも１つの音声用に最適化された無線電話ネットワーク（２２）と、
少なくとも１つの無線データ用に最適化されたネットワーク（２４）と、
を備え、
前記無線通信装置（１２）は、前記音声用に最適化された無線電話ネットワーク（２２）を用いて前記仲介サーバ（１６）と通信し、前記無線データ用に最適化されたネットワーク（２４）を介して、ダウンロードするためのデジタルコンテンツを注文する、
ことを特徴とするシステム。
【請求項１１】
無線通信装置を用いて、音声用に最適化された無線電話ネットワーク上でデジタルコンテンツに対する購入注文を提示するステップと、
無線データ用に最適化されたネットワークを用いて前記購入注文を完了させるステップと、
を含むことを特徴とする方法。
【請求項１２】
デジタルコンテンツに対する購入注文を、音声用に最適化された無線電話ネットワークを介して無線通信装置から受信するステップと、
無線データ用に最適化されたネットワークを用いて前記購入注文を満たすようにするステップと、
を含む論理を実行することを特徴とする仲介サーバ。
【発明の詳細な説明】
【技術分野】
【０００１】
本発明は、一般に既存のネットワーク上での移動通信装置へのデジタルコンテンツの販売に関する。
【背景技術】
【０００２】
ＣＤＭＡネットワーク及びＧＳＭネットワークなどの音声ネットワークは、移動電話機を用いた音声通信用に広いサービス領域を提供している。既存の無線電話ネットワークは、音声通信用に最適化されたものではあるが、インスタントメッセンジャ（ＩＭ）又はショートメッセージサービス（ＳＭＳ）のような様々な形で、若干制限されたデータ通信を提供することもできる。
【発明の開示】
【発明が解決しようとする課題】
【０００３】
本明細書で理解されるように、広帯域幅の無線データ通信を目標とし、例えば、多くの無線電話のマルチメディア機能を活用するために利用することができるＷｉＦｉのような別の無線ネットワークも提供されてはきたが、これらのネットワークは、通常ホットスポットのサービスに制限される。それにもかかわらず、本発明は、データ通信用ではなく音声通信用に最適化された電話ネットワーク上で移動通信装置にコンテンツを配信することが困難であるにもかかわらず、ホットスポットのサービスを待つことなく、ユーザが好きな時にいつでもインターネット上で入手可能な多量のデジタルコンテンツの中からタイトルを購入できるようにすることが望ましいと理解するものである。さらに本発明は、ほとんどのユーザが通常購入するサービス以上の追加サービスの購入をユーザに求めることなく、上記の機能を提供することに対する利点について理解するものである。
【課題を解決するための手段】
【０００４】
本発明を限定するものではない用語で述べれば、移動電話機などの無線通信装置は、音声用に最適化された電話ネットワークを用いてデジタルコンテンツを購入することができるが、この電話ネットワークは、その帯域が相対的に狭いため、マルチメディアストリームのような大量のデータをダウンロードするように最適化されたものではない。そこで、無線通信装置が広帯域のデータネットワークとの通信を確立すれば、この広帯域のネットワークを介してデジタルコンテンツをダウンロードすることにより、取引を完了させることができる。従って、本発明を限定しない実施例では、無線通信装置は、（ＣＤＭＡ又はＧＳＭなどの）音声用に最適化されたネットワーク上で利用可能なショートメッセージサービス（ＳＭＳ）又はインスタントメッセンジャ（ＩＭ）のようなメッセージングプロトコルなどを用いて、取引の最初の部分をデジタルコンテンツのサーチ、識別、及び購入に関与させるようにし、その後、無線通信装置がＷｉＦｉなどのデータネットワークのカバーエリアに入った時点で取引を完了させるようにすることができる。
【０００５】
上記の行為を調整するために、インターネット上のサーバが両方のネットワークと通信することができ、従って、このサーバは、いずれかのネットワーク上の無線通信装置と通信して、取引を仲介することができる。このサーバは、要求方法及び確認応答方法を用いて必要なコマンドを実行し、取引の最初の部分を完了させることができる。このサーバは、ユーザが購入したアイテムリストを保持することもできる。所定のイベントが、広帯域ネットワーク上での仲介サーバへのデータ呼をトリガすることができる。購入したアイテムリストを交換して取引を確認した後、装置及びサーバは、デジタルコンテンツを装置にダウンロードする段階へ進むことができ、これに引き続いて、本発明を限定しない実施例において、適切な課金行為を通信事業者の課金システムを用いて行うことができる。
【０００６】
従って、無線通信装置は、音声用に最適化された無線電話ネットワークを用いて、コンテンツに対する注文を生成するステップを含む論理を実行するプロセッサを含む。上記論理はまた、無線データ用に最適化されたネットワークを介してコンテンツを受信するステップも含む。
【０００７】
本発明を限定しない実施例では、上記生成行為はＳＭＳ又はＩＭを用いて行うことができ、音声用に最適化された無線電話ネットワークはＣＤＭＡリンク及び／又はＧＳＭリンクを含むことができる。無線データ用に最適化されたネットワークはＷｉＦｉリンクを制限無く含むことができる。いずれにせよ、無線通信装置のユーザは、音声用に最適化された無線電話ネットワークのメッセージングプロトコルを用いてデジタルコンテンツをサーチし、購入することができ、その場合、ダウンロードは、ユーザとの対話処理なしで行われる。
【０００８】
別の側面では、システムが、無線通信装置、仲介サーバ、及び音声用に最適化された無線電話ネットワークを含む。このシステムはまた、無線データ用に最適化されたネットワークも含み、無線通信装置は、音声用に最適化された無線電話ネットワークを用いて仲介サーバと通信し、無線データ用に最適化されたネットワークを介して、ダウンロードするためのデジタルコンテンツを注文する。
【０００９】
さらに別の側面では、無線通信装置を用いて、音声用に最適化された無線電話ネットワークを介してデジタルコンテンツに対する購入注文を提示するステップと、その後、無線データ用に最適化されたネットワークを用いて購入注文を完了させるステップとを含む方法を開示する。
【００１０】
さらに別の側面では、仲介サーバが、音声用に最適化された無線電話ネットワークを介してデジタルコンテンツに対する購入注文を無線通信装置から受信するステップと、無線データ用に最適化されたネットワークを用いて上記購入注文を満たすようにするステップとを含む論理を実行する。
【００１１】
本発明の詳細は、その構造及び処理の両方に関して、添付図面を参照することにより最もよく理解することができ、該図面において同じ参照番号は同じ部分を意味するものとする。
【発明を実施するための最良の形態】
【００１２】
最初に図１を参照すると、一般的に１０で指示されたシステムが示されており、このシステムは、関連するプロセッサ１２ａを有する無線電話などの１又はそれ以上の無線通信装置１２（明瞭にするために単一の無線通信装置のみを示す）、及びインターネット１６と通信する１又はそれ以上の仲介サーバ１４を含む。デジタルコンテンツを記憶するコンテンツサーバ１８、及び課金を行う課金サーバ２０もまた、インターネット１６と通信することができ、単一サーバ又は４以上のサーバが機能して、本明細書に記載の機能を提供できることが理解される。
【００１３】
図１に示すように、無線通信装置１２は、音声用に最適化された無線電話ネットワーク２２（図１に電話タワーにより概略的に表す）と通信する。限定的な意味ではないが、音声用に最適化された無線電話ネットワーク２２は、無線ＣＤＭＡリンク及び／又は無線ＧＳＭリンクを含むことができる。さらに、無線通信装置１２は、適正なサービス領域内にあるときに、アクセスポイント２４（明瞭にするために１つだけのアクセスポイント２４を示している）を含む無線データ用に最適化されたネットワークと、無線で通信を行う。限定的な意味ではないが、無線データ用に最適化されたネットワークは、ＷｉＦｉリンク又はＢｌｕｅｔｏｏｔｈリンク等を含むことができる。
【００１４】
次に図２及び図３を参照すると、本論理をフローチャート形式で示しているが、実施においては、状態論理などの任意の適当な形式で実施できることを理解されたい。この論理は、一般に無線電話機に含まれる内蔵型のチップドライバとは別の、或いはチップに組み込むことができるソフトウェアアプリケーションとして、本無線通信装置のプロセッサ１２ａにより少なくとも部分的に実行することができる。
【００１５】
ブロック２６から開始して、無線通信装置１２は、音声用に最適化された無線電話ネットワーク２２を用いて、限定的な意味ではないが、ＳＭＳ又はＩＭなどのメッセージングプロトコルを用いて、若しくはプッシュトゥトークを用いて仲介サーバ１４にコンタクトすることができる。この目的のために、仲介サーバ１４は、音声用に最適化された無線電話ネットワーク２２上で移動通信装置として機能することができると共に、電話番号を有することができ、この電話番号へメッセージを送信したり、またこの電話番号から応答を返信したりすることができる。本発明の限定的でない実施例では、サーバ１４と無線通信装置１２との間の要求通信及び応答通信は、デジタルコンテンツのキーワード検索、及び音楽などのデジタルコンテンツを購入するための特定の要求などの機能分野をカバーすることができる。従って、ブロック２８において、サーバ１４は、無線通信装置１２からのＳＭＳによるキーワードクエリに応答して、コンテンツサーバ１８などにおいて入手可能なマルチメディアコンテンツのリストなどのメタデータを無線通信装置１２に提供することができる。無線通信装置１２がサーバ１４からのメッセージコンテンツを構文解析できるように、本発明の限定的でない実施例においてＸＭＬ型のタグ付き言語を使用することができる。
【００１６】
ブロック３０において、無線通信装置１２のユーザは、音声用に最適化された無線電話ネットワーク２２を用いて、購入するためのコンテンツを望み通りに選択する。選択したコンテンツのログ構造又はその他のデータ構造は、無線通信装置１２と仲介サーバ１４の双方の側において同期した状態で保持される。このログは、取引識別子、コンテンツ名などを含むことができる。このログは、購入取引における何らかのエラーを排除するのに役立ち、取引の第２部を完了させる際に整合性を保証するものとなる。
【００１７】
仲介サーバ１４は、例えば、ＳＭＳクエリなどを用いて無線通信装置１２から受信することができたキーワードに関連する音楽をサーチ及び検索するためにコンテンツサーバ１８と相互に交信することにより、インターネット上の任意のサーバと相互に交信して、無線通信装置１２からの要求を満たすことができる。本明細書では、書籍、音楽、着信音、ニュース記事、ビデオ等を含むコンテンツサーバを含む任意の種類のコンテンツサーバが想定される。上述のように、ユーザが、音声用に最適化された無線電話ネットワーク２２を介してコンテンツを購入すると、仲介サーバ１４及び無線通信装置１２は、購入したアイテムのリストをそれらの間で同期させ、セッションを終了させる。
【００１８】
次に図３を参照すると、購入したコンテンツを無線通信装置１２へ転送するための論理が、ダウンロード開始イベントの発生時に、ブロック３２から開始する。限定的な意味ではないが、ダウンロード開始イベントは、無線データ用に最適化されたネットワーク２４のカバーエリア内に入ったことについての無線通信装置１２側における検知、待機時間の経過、無線通信装置１２の電池充電装置との連動、及び無線通信装置１２の通電のうちの１又はそれ以上を含むことができる。そうすることによって、ユーザとの対話処理を伴わずにデジタルコンテンツを自動的にダウンロードできるようになる。
【００１９】
判定区画３４に移ると、無線通信装置１２は、何らかの確定していない（実現されていない）購入が存在するかどうかを自身のログを用いて判定する。１つの実施構成では、仲介サーバ１４及び無線通信装置１２は、互いのログを一致させ、双方の装置が不確定のままで残っていると同意したアイテムをダウンロードする。（通常、無線通信装置１２のログが不完全であるという理由による）不一致が生じた場合、サーバ１４のログがマスタ購入リストであると見なされ、装置１２のいずれの不完全なリストにも最終的に勝ることになる。
【００２０】
不確定のエントリが存在しなければ、この論理は状態３６において終了するが、存在する場合には、この論理は判定区画３８へ移り、無線通信装置１２が無線データ用に最適化されたネットワーク２４と通信しているかどうかが判定される。判定区画３８におけるこの検査は、無線通信装置１２が、無線データ用に最適化されたネットワーク通信用に構成されているかどうか、無線データ用に最適化されたネットワークへのアクセス権限がユーザに与えられているかどうか等を判定するステップを含むことができると理解されたい。
【００２１】
判定区画３８における上記検査が肯定的であった場合、この論理はブロック４０へ移行し、無線データ用に最適化されたネットワーク２４を介して、ログで示されたコンテンツをダウンロードする。ブロック４２において、仲介サーバ１４からの課金情報に応答して、課金サーバ２０などにより課金データを生成することができる。課金サーバ２０は、無線通信装置１２に関連する無線電話通信事業者の課金サーバとすることができる。課金に先立って正常なダウンロードの確認を行うことができる。
【００２２】
無線通信装置へデータを提供するための特定のシステム及び方法を本明細書で示し、詳細について説明したが、本発明は添付の特許請求の範囲によってのみ限定されるものである。
【図面の簡単な説明】
【００２３】
【図１】本発明によるシステムの限定的でない実施例を示すブロック図である。
【図２】音声用に最適化された電話ネットワークを介して実行される注文論理のフローチャートである。
【図３】広帯域データ用に最適化されたネットワークを介して実行される取引完了論理のフローチャートである。
【符号の説明】
【００２４】
１０  システム
１２  無線電話
１２ａ  プロセッサ
１４  仲介サーバ
１６  インターネット
１８  コンテンツサーバ
２０  課金サーバ
２２  無線電話ネットワーク
２４  データネットワークアクセスポイント
【図１】
2009524986.tif 000003
【図２】
2009524986.tif 000004
【図３】
2009524986.tif 000005
【国際調査報告】
2009524986.tif 000006